(57)【要約】【課題】受験者がテキストに収録されている問題を解き、自己の解答と正解を見比べて、自己採点を行う必要がある。そのため、自己の点数が判明するまでに長時間を要し、また、その点数の集計に失敗する可能性もあるので、正確な合否判定を行うことができないことがある課題があった。【解決手段】解答入力部１３により入力された解答を採点して、試験問題に対する合否を判定する。これにより、受験者が自ら解答を採点することなく自動的に採点して、合否を判定することができる。【選択図】　　　　図２
2004061750.tif 000002
【特許請求の範囲】
【請求項１】
実施を希望する試験問題の選択を受け付けて、その試験問題を表示する問題選択手段と、上記問題選択手段により表示されている試験問題の解答を入力する解答入力手段と、上記解答入力手段により入力された解答を採点して、その試験問題に対する合否を判定する合否判定手段とを備えた模擬試験装置。
【請求項２】
解答入力手段は、試験問題が配線工事に必要な材料の選別を要求している場合、提示されている複数の材料の中から必要な材料の選別を受け付けることを特徴とする請求項１記載の模擬試験装置。
【請求項３】
解答入力手段は、試験問題が配線工事に必要な工具の選別を要求している場合、提示されている複数の工具の中から必要な工具の選別を受け付けることを特徴とする請求項１記載の模擬試験装置。
【請求項４】
試験問題の正解と解説を提示する提示手段を設けたことを特徴とする請求項１から請求項３のうちのいずれか１項記載の模擬試験装置。
【請求項５】
実技試験の作業内容を表す映像を再生する映像再生手段を設けたことを特徴とする請求項１から請求項３のうちのいずれか１項記載の模擬試験装置。
【請求項６】
映像再生手段は、実技試験の作業内容が複数の工程から構成されている場合、任意の工程の作業内容を選択的に再生することを特徴とする請求項５記載の模擬試験装置。
【請求項７】
実技試験の実施により製作された製作物を撮像し、その製作物の撮像データを管理センターに送信して、その実技試験に対する合否の判定を要求する合否判定要求手段と、上記管理センターから合否の判定結果を受信して表示する判定結果表示手段とを設けたことを特徴とする請求項５記載の模擬試験装置。
【請求項８】
管理センターから実施可能な試験問題を受信する試験問題受信手段と、上記試験問題受信手段により受信された試験問題の中から実施を希望する試験問題の選択を受け付けて、その試験問題を表示する問題選択手段と、上記問題選択手段により表示されている試験問題の解答を入力する解答入力手段と、上記解答入力手段により入力された解答を管理センターに送信して、その試験問題に対する合否の判定を要求する合否判定要求手段と、上記管理センターから合否の判定結果を受信して表示する判定結果表示手段とを備えた模擬試験装置。
【請求項９】
管理センターは、複数の受験者の点数を相互に比較して、試験問題に対する合否を判定することを特徴とする請求項８記載の模擬試験装置。
【発明の詳細な説明】
【０００１】
【発明の属する技術分野】
この発明は、例えば、第２種電気工事士などの資格試験の受験者に模擬試験の実施機会を与える模擬試験装置に関するものである。
【０００２】
【従来の技術】
従来、資格試験の受験者は、過去に出題された問題が収録されているテキストを購入して、その問題を解き、自己の解答と正解を見比べて、自己採点を行うのが一般的である。
なお、実技試験の作業内容は、例えば、テキストに付属されているビデオテープをＶＴＲ上で再生することにより、確認するのが一般的である。
【０００３】
【発明が解決しようとする課題】
従来は資格試験の受験者に模擬試験の実施機会を与える模擬試験装置はなく、受験者がテキストに収録されている問題を解き、自己の解答と正解を見比べて、自己採点を行う必要がある。そのため、自己の点数が判明するまでに長時間を要し、また、その点数の集計に失敗する可能性もあるので、正確な合否判定を行うことができないことがある課題があった。
また、自己の点数が判明しても、他の受験者の点数を知ることができないので、相対的な自己の実力を判断することができず、合格圏内の実力があるか否かを判断することができない課題もあった。
【０００４】
この発明は上記のような課題を解決するためになされたもので、試験問題の解答を自動的に採点して合否を判定することができる模擬試験装置を得ることを目的とする。
また、この発明は、他の受験者の点数と比較して、合否を判定することができる模擬試験装置を得ることを目的とする。
【０００５】
【課題を解決するための手段】
この発明に係る模擬試験装置は、解答入力手段により入力された解答を採点して、試験問題に対する合否を判定するようにしたものである。
【０００６】
この発明に係る模擬試験装置は、試験問題が配線工事に必要な材料の選別を要求している場合、提示されている複数の材料の中から必要な材料の選別を受け付けるようにしたものである。
【０００７】
この発明に係る模擬試験装置は、試験問題が配線工事に必要な工具の選別を要求している場合、提示されている複数の工具の中から必要な工具の選別を受け付けるようにしたものである。
【０００８】
この発明に係る模擬試験装置は、試験問題の正解と解説を提示する提示手段を設けたものである。
【０００９】
この発明に係る模擬試験装置は、実技試験の作業内容を表す映像を再生する映像再生手段を設けたものである。
【００１０】
この発明に係る模擬試験装置は、実技試験の作業内容が複数の工程から構成されている場合、任意の工程の作業内容を選択的に再生するようにしたものである。
【００１１】
この発明に係る模擬試験装置は、実技試験の実施により製作された製作物を撮像し、その製作物の撮像データを管理センターに送信して、その実技試験に対する合否の判定を要求する合否判定要求手段と、その管理センターから合否の判定結果を受信して表示する判定結果表示手段とを設けたものである。
【００１２】
この発明に係る模擬試験装置は、解答入力手段により入力された解答を管理センターに送信して、その試験問題に対する合否の判定を要求し、その管理センターから合否の判定結果を受信して表示するようにしたものである。
【００１３】
この発明に係る模擬試験装置は、管理センターが複数の受験者の点数を相互に比較して、試験問題に対する合否を判定するようにしたものである。
【００１４】
【発明の実施の形態】
以下、この発明の実施の一形態を説明する。
実施の形態１．
図１はこの発明の実施の形態１による模擬試験装置のハードウエア構成を示す構成図であり、図において、１は各種の処理を実行するＣＰＵ、２はＣＰＵ１が実行するプログラムの他、ビデオ映像や問題・正解・解説用データ等を記憶する記憶装置、３は実施を希望する試験問題の選択や解答の入力等を行うキーボード、４は実施を希望する試験問題の選択や解答の入力等を行うマウス、５は試験問題等を表示するディスプレイ装置である。
【００１５】
図２はＣＰＵ１の機能ブロックを示すブロック図であり、図において、１１は実施を希望する試験問題の選択を受け付ける問題選択部、１２は実施可能な試験問題のリストを表示し、問題選択部１１が実施を希望する試験問題の選択を受け付けると、その試験問題を表示する問題表示部である。なお、問題選択部１１及び問題表示部１２から問題選択手段が構成されている。
【００１６】
１３は問題表示部１２により表示されている試験問題の解答を入力する解答入力部（解答入力手段）、１４は解答入力部１３により入力された解答を採点する採点部、１５は採点部１４の採点結果を参照して、その試験問題に対する合否を判定する合否判定部である。なお、採点部１４及び合否判定部１５から合否判定手段が構成されている。
１６は試験問題の正解と解説を提示する正解・解説提示部（提示手段）、１７は実技試験の作業内容を表すビデオ映像を再生する映像再生部（映像再生手段）である。
図３はＣＰＵ１の処理内容を示すフローチャートである。
【００１７】
次に動作について説明する。
まず、ＣＰＵ１のプログラムの他、ビデオ映像や問題・正解・解説用データ等が記述されているＣＤ−ＲＯＭなどの記憶媒体を図示せぬディスク装置に挿入して、そのプログラム等を記憶装置２にインストールする。ただし、プログラムや各種データ等は必ずしも記憶装置２にインストールする必要はなく、ＣＰＵ１が記憶媒体からプログラムや各種データ等を読み込める状態にあればよい。
【００１８】
ＣＰＵ１の問題表示部１２は、上記のようにして、プログラム等のインストールが完了すると、図４に示すように、実施可能な試験問題として、記憶装置２に記憶された試験問題のリストをディスプレイ装置５に表示する（ステップＳＴ１）。図４の例では、実施可能な試験問題として、材料等選別試験と、単位作業試験とを提示している。
これにより、受験者がマウス４を操作して、実施を希望する試験問題を選択すると、問題選択部１１が実施を希望する試験問題の選択を受け付けて（ステップＳＴ２）、問題表示部１２がその試験問題をディスプレイ装置５に表示する（ステップＳＴ３）。図５の例では、材料等選別試験の午前の部が選択されたときの試験問題を示している。
【００１９】
ＣＰＵ１の解答入力部１３は、問題表示部１２が試験問題を表示したのち、受験者がマウス４を操作して、試験問題の解答を入力すると、その解答を示す解答データを採点部１４に出力する（ステップＳＴ４）。
図５に示すように、試験問題が配線工事に必要な材料の選別を要求している場合、受験者がマウス４を操作して、“材料選別”タグをクリックすると、図６のような材料選別画面が表示される。例えば、符号“さ”の材料と、符号“ゆ”の材料とを選別する場合、画面下の符号“さ”と符号“ゆ”のマークをクリックすると、解答入力部１３が符号“さ”と符号“ゆ”が選別された旨を示す解答データを採点部１４に出力する。
【００２０】
また、図５に示すように、試験問題が配線工事に必要な工具の選別を要求している場合、受験者がマウス４を操作して、“工具選別”タグをクリックすると、図７のような工具選別画面が表示される。例えば、符号“Ａ”の工具と、符号“Ｇ”の工具とを選別する場合、画面下の符号“Ａ”と符号“Ｇ”のマークをクリックすると、解答入力部１３が符号“Ａ”と符号“Ｇ”が選別された旨を示す解答データを採点部１４に出力する。
【００２１】
ＣＰＵ１の採点部１４は、受験者が試験問題の解答が完了し（ステップＳＴ５）、マウス４を操作して、図６又は図７の“採点”　タグをクリックすると、解答入力部１３から出力された解答データと、記憶装置２に記憶されている正解データとを比較して、その試験問題に対する解答を採点する（ステップＳＴ６）。ＣＰＵ１の合否判定部１５は、採点部１４が採点を完了すると、その採点結果を参照して、その試験問題に対する合否を判定する（ステップＳＴ７）。
例えば、４０点満点で受験者の点数が３２点以上であれば合格とし、図８に示すような画面をディスプレイ装置５に表示する。
【００２２】
ここで、ＣＰＵ１の正解・解説提示部１６は、受験者がマウス４を操作して、“正解と解説”タグをクリックすると、記憶装置２に記憶されている正解・解説用データをリードして、図９や図１０に示すような試験問題の正解と解説を提示する。
したがって、受験者は、不正解な問題の確認や、その理由を認識することができる。
【００２３】
また、受験者がキーボード３やマウス４を操作することにより、映像再生部１７が図１１に示すような画面をディスプレイ装置５に表示したのち、“基本実技”タグをクリックすると、図１２に示すように、映像再生部１７が各種実技のリストをディスプレイ装置５に表示する。例えば、“ランプレセプタクル取り付け”タグをクリックすると、図１３に示すように、映像再生部１７がランプレセプタクルの取り付け内容を表すビデオ映像を再生する。
なお、ランプレセプタクルの取り付けは、複数の工程から構成されており（剥ぎ取り寸法の印付け、心線の加工、取り付け）、例えば、受験者が心線の加工内容のみを確認したい場合には、“心線の加工”をクリックすれば、心線の加工内容のみを再生することができる。
【００２４】
以上で明らかなように、この実施の形態１によれば、解答入力部１３により入力された解答を採点して、試験問題に対する合否を判定するように構成したので、受験者が自ら解答を採点することなく自動的に採点して、合否を判定することができる効果を奏する。
【００２５】
なお、この実施の形態１では、ＣＤ−ＲＯＭなどの記憶媒体を図示せぬディスク装置に挿入して、プログラム等を記憶装置２にインストールするものについて示したが、例えば、インターネットなどのネットワークを通じて、ＣＰＵ１のプログラム、ビデオ映像や問題・正解・解説用データ等をダウンロードすることにより、記憶装置２にインストールするようにしてもよい。
【００２６】
実施の形態２．
図１４はこの発明の実施の形態２による模擬試験装置のＣＰＵ１の機能ブロックを示すブロック図であり、図において、図２と同一符号は同一または相当部分を示すので説明を省略する。
２１は実技試験に対する合否の判定を行う管理センター、２２は例えばインターネットなどのネットワーク、２３は実技試験の実施により製作された製作物を撮像するカメラ、２４はカメラ２３から出力された製作物の撮像データを管理センター２１に送信して、その実技試験に対する合否の判定を要求する合否判定要求部である。なお、カメラ２３及び合否判定要求部２４から合否判定要求手段が構成されている。２５は管理センター２１から合否の判定結果を受信して、その判定結果をディスプレイ装置５に表示する判定結果表示部（判定結果表示手段）である。
【００２７】
上記実施の形態１では、映像再生部１７が実技試験の作業内容を表すビデオ映像を再生するものについて示したが、受験者がビデオ映像を参照して製作した製作物の出来具合を評価して、実技試験の合否を判定するようにしてもよい。
即ち、受験者がビデオ映像を参照しながら予め用意されている材料や工具を使用して製作物を作ると、カメラ２３がその製作物を撮像し、合否判定要求部２４がカメラ２３から出力された製作物の撮像データを管理センター２１に送信して、その実技試験に対する合否の判定を要求する。
【００２８】
管理センター２１では、合否判定要求部２４から製作物の撮像データを受信すると、その撮像データにしたがって製作物を表示し、例えば、管理センター２１の管理者が当該製作物の出来具合を評価して、実技試験の合否を判定する。
管理センター２１は、例えば、管理者が実技試験の合否を判定すると、その合否の判定結果を要求元の模擬試験装置に送信する。
判定結果表示部２５は、管理センター２１から合否の判定結果を受信すると、その判定結果をディスプレイ装置５に表示する。
この実施の形態２によれば、受験者は実技試験に関する模擬試験を受験することができる効果を奏する。
【００２９】
実施の形態３．
図１５はこの発明の実施の形態３による模擬試験装置のＣＰＵ１の機能ブロックを示すブロック図であり、図において、図１４と同一符号は同一または相当部分を示すので説明を省略する。
２６は管理センター２１から実施可能な試験問題を受信する試験問題受信部（試験問題受信手段）である。
【００３０】
上記実施の形態１では、合否判定部１５が採点部１４の採点結果を参照して、試験問題に対する合否を判定するものについて示したが、合否判定要求部２４が解答入力部１３から解答データを受けると、その解答データを管理センター２１に送信して、その試験問題に対する合否の判定を要求するようにしてもよい。
【００３１】
具体的には、受験者がマウス４を操作して、管理センター２１から送信された実施可能な試験問題（試験問題受信部２６により受信された試験問題）の解答を入力すると、解答入力部１３がその解答を示す解答データを合否判定要求部２４に出力する。
そして、合否判定要求部２４は、解答入力部１３から解答データを受けると、その解答データを管理センター２１に送信して、その試験問題に対する合否の判定を要求する。
【００３２】
管理センター２１は、合否判定要求部２４から解答データを受信すると、その試験問題に対する解答を採点する。
そして、管理センター２１は、複数の受験者の点数を相互に比較し、例えば、当該受験者が上位３０％以上に属しているときは合格であると判定し、上位３０％未満であれば不合格であると判定する。
管理センター２１は、当該受験者の合否を判定すると、その合否の判定結果を要求元の模擬試験装置に送信する。
判定結果表示部２５は、管理センター２１から合否の判定結果を受信すると、その判定結果をディスプレイ装置５に表示する。
【００３３】
以上で明らかなように、この実施の形態３によれば、解答入力部１３により入力された解答を管理センター２１に送信して、その試験問題に対する合否の判定を要求し、その管理センター２１から合否の判定結果を受信して表示するように構成したので、他の受験者の点数と比較して、合否を判定することができる効果を奏する。
【００３４】
【発明の効果】
以上のように、この発明によれば、解答入力手段により入力された解答を採点して、試験問題に対する合否を判定するように構成したので、受験者が自ら解答を採点することなく自動的に採点して、合否を判定することができる効果がある。
【００３５】
この発明によれば、試験問題が配線工事に必要な材料の選別を要求している場合、提示されている複数の材料の中から必要な材料の選別を受け付けるように構成したので、材料の選別試験を実施することができる効果がある。
【００３６】
この発明によれば、試験問題が配線工事に必要な工具の選別を要求している場合、提示されている複数の工具の中から必要な工具の選別を受け付けるように構成したので、工具の選別試験を実施することができる効果がある。
【００３７】
この発明によれば、試験問題の正解と解説を提示する提示手段を設けるように構成したので、受験者が不正解な問題の確認や、その理由を認識することができる効果がある。
【００３８】
この発明によれば、実技試験の作業内容を表す映像を再生する映像再生手段を設けるように構成したので、実技試験の作業内容を確認することができる効果がある。
【００３９】
この発明によれば、実技試験の作業内容が複数の工程から構成されている場合、任意の工程の作業内容を選択的に再生するように構成したので、受験者が希望する工程の作業内容のみを速やかに確認することができる効果がある。
【００４０】
この発明によれば、実技試験の実施により製作された製作物を撮像し、その製作物の撮像データを管理センターに送信して、その実技試験に対する合否の判定を要求する合否判定要求手段と、その管理センターから合否の判定結果を受信して表示する判定結果表示手段とを設けるように構成したので、実技試験に関する模擬試験を受験することができる効果がある。
【００４１】
この発明によれば、解答入力手段により入力された解答を管理センターに送信して、その試験問題に対する合否の判定を要求し、その管理センターから合否の判定結果を受信して表示するように構成したので、他の受験者の点数と比較して、合否を判定することができる効果がある。
【００４２】
この発明によれば、管理センターが複数の受験者の点数を相互に比較して、試験問題に対する合否を判定するように構成したので、受験者を相対的に比較して合否を判定する資格試験等の模擬試験を実施することができる効果がある。
【図面の簡単な説明】
【図１】この発明の実施の形態１による模擬試験装置のハードウエア構成を示す構成図である。
【図２】この発明の実施の形態１による模擬試験装置のＣＰＵの機能ブロックを示すブロック図である。
【図３】ＣＰＵの処理内容を示すフローチャートである。
【図４】実施可能な試験問題のリストを示す画面図である。
【図５】試験問題を示す画面図である。
【図６】配線工事に必要な材料を選別する画面を示す画面図である。
【図７】配線工事に必要な工具を選別する画面を示す画面図である。
【図８】合否の判定結果を示す画面図である。
【図９】正解と解説を示す画面図である。
【図１０】正解と解説を示す画面図である。
【図１１】説明内容を選択する画面を示す画面図である。
【図１２】各種実技のリストを示す画面図である。
【図１３】ランプレセプタクルの取り付け内容を示す画面図である。
【図１４】この発明の実施の形態２による模擬試験装置のＣＰＵの機能ブロックを示すブロック図である。
【図１５】この発明の実施の形態３による模擬試験装置のＣＰＵの機能ブロックを示すブロック図である。
【符号の説明】
１　ＣＰＵ、２　記憶装置、３　キーボード、４　マウス、５　ディスプレイ装置、１１　問題選択部（問題選択手段）、１２　問題表示部（問題選択手段）、１３　解答入力部（解答入力手段）、１４　採点部（合否判定手段）、１５　合否判定部（合否判定手段）、１６　正解・解説提示部（提示手段）、１７　映像再生部（映像再生手段）、２１　管理センター、２２　ネットワーク、２３　カメラ（合否判定要求手段）、２４　合否判定要求部（合否判定要求手段）、２５　判定結果表示部（判定結果表示手段）、２６　試験問題受信部（試験問題受信手段）。
【図１】
2004061750.tif 000003
【図２】
2004061750.tif 000004
【図３】
2004061750.tif 000005
【図４】
2004061750.tif 000006
【図５】
2004061750.tif 000007
【図６】
2004061750.tif 000008
【図７】
2004061750.tif 000009
【図８】
2004061750.tif 000010
【図９】
2004061750.tif 000011
【図１０】
2004061750.tif 000012
【図１１】
2004061750.tif 000013
【図１２】
2004061750.tif 000014
【図１３】
2004061750.tif 000015
【図１４】
2004061750.tif 000016
【図１５】
2004061750.tif 000017